(57)【要約】  本発明は脈拍を診断する技術に関し、ブルートゥース付き、脈拍を診断するブレスレット及びその脈拍データを伝送する方法を公開した。ブルートゥース付き、脈拍を診断するブレスレットは収集ユニットとブルートゥース伝送ユニットとを含む。さらに、ブルートゥース伝送ユニットは情報取得モジュールと伝送モジュールとを含む。上記の方法は、ブルートゥース付き、脈拍を診断するブレスレットがリアルタイムで着用者の脈拍データを収集する工程Ｓ１と；ブルートゥース付き、脈拍を診断するブレスレットがリモート接続された知能端末からのブルートゥース制御情報を取得する工程Ｓ２と；ブルートゥース付き、脈拍を診断するブレスレットがブルートゥース制御情報の意味を判断して、ブルートゥース制御情報が通信許可を示すと判断する場合に、工程Ｓ４に進む工程Ｓ３と；ブルートゥース付き、脈拍を診断するブレスレットがブルートゥース伝送によって、知能端末に脈拍データを伝送する工程Ｓ４とを含む。上記の技術案により、脈拍を診断する装置の着用は便利になり、脈拍データの伝送も簡単になり、脈拍データの伝送距離も有線転送の制限を突破する。【選択図】図３
2018524120.tif 000002
【特許請求の範囲】
【請求項１】
リアルタイムで着用者の脈拍データを収集する収集ユニットと、
上記の収集ユニットに連接され、ブルートゥース伝送により上記の脈拍データをリモート連接された知能端末に送信するブルートゥース伝送ユニットとを含むブルートゥース付き、脈拍を診断するブレスレットであって、
上記のブルートゥース伝送ユニットは、
上記の知能端末から送信されたブルートゥース制御情報を取得する情報取得モジュールと、
上記の情報取得モジュールに連接され、上記のブルートゥース制御情報を判断して、ブルートゥース制御情報が通信許可を示すと判断した場合に、上記の知能端末に上記の脈拍データを送信する伝送モジュールとを含むことを特徴とするブルートゥース付き、脈拍を診断するブレスレット。
【請求項２】
上記の知能端末は携帯電話またはタブレットコンピュータであることを特徴とする請求項１に記載のブルートゥース付き、脈拍を診断するブレスレット。
【請求項３】
上記のブルートゥース制御情報は汎用一意識別子、すなわちＵＵＩＤ（Universally Unique Identifier）が0xFF72である特徴値情報であり、また、当該ブルートゥース制御情報の長さは２０バイトで固定されていることを特徴とする請求項１に記載のブルートゥース付き、脈拍を診断するブレスレット。
【請求項４】
上記のブルートゥース伝送ユニットは伝送モジュールに連接されたフィードバックモジュールをさらに含み、
上記の伝送モジュールは上記のブルートゥース制御情報が通信許可を示すと判断する場合、上記のフィードバックモジュールは上記の知能端末に第１フィードバック情報をフィードバックして、
上記の伝送モジュールは上記のブルートゥース制御情報が通信禁止を示すと判断する場合、上記のフィードバックモジュールは上記の知能端末に第２フィードバック情報をフィードバックすることを特徴とする請求項３に記載のブルートゥース付き、脈拍を診断するブレスレット。
【請求項５】
上記のブルートゥース付き、脈拍を診断するブレスレットが正常的に動作するため必要な電力を提供するバッテリユニットと、
上記のバッテリユニットに連接され、上記のバッテリユニットにおける余った電量を監視する電源管理ユニットと、
上記の電源管理ユニットと上記のブルートゥース伝送ユニットとにそれぞれ連接され、監視された上記の余った電量が予め設定された閾値より低い場合、ブルートゥース伝送により上記の知能端末に現在の余った電量を含む通知情報をフィードバックして、上記の知能端末が上記の通知情報に従ってバッテリを交換するように着用者にプロンプトするフィードバックユニットと
をさらに含むことを特徴とする請求項１に記載のブルートゥース付き、脈拍を診断するブレスレット。
【請求項６】
上記のブルートゥース付き、脈拍を診断するブレスレットが正常的に動作するため必要な電力を提供するバッテリユニットと、
上記のバッテリユニットに連接され、上記のバッテリユニットにおける余った電量を監視する電源管理ユニットと、
上記の電源管理ユニットと上記のブルートゥース伝送ユニットとにそれぞれ連接され、ブルートゥース伝送によって上記の知能端末に現在の余った電量を含む通知情報がフィードバックされ、上記の知能端末に上記のバッテリユニットに現在の余った電量を読み取らせる読み取りユニットと
をさらに含むことを特徴とする請求項１に記載のブルートゥース付き、脈拍を診断するブレスレット。
【請求項７】
上記の通知情報は汎用一意識別子が0x2A19である特徴値情報であることを特徴とする請求項５又は６に記載のブルートゥース付き、脈拍を診断するブレスレット。
【請求項８】
請求項１〜８のいずれかに記載のブルートゥース付き、脈拍を診断するブレスレットを使って脈拍データを伝送する方法において、
上記のブルートゥース付き、脈拍を診断するブレスレットがリアルタイムで着用者の脈拍データを収集する工程Ｓ１と、
上記のブルートゥース付き、脈拍を診断するブレスレットはリモート連接された上記の知能端末から送信された上記のブルートゥース制御情報を取得する工程Ｓ２と、
上記のブルートゥース付き、脈拍を診断するブレスレットは上記のブルートゥース制御情報の意味を判断して、上記のブルートゥース制御情報が通信許可を示す場合、工程Ｓ４に進む工程Ｓ３と、
上記のブルートゥース付き、脈拍を診断するブレスレットはブルートゥース伝送によって、上記の知能端末に上記の脈拍データを送信する工程Ｓ４と
を含むことを特徴とする脈拍データを伝送する方法。
【発明の詳細な説明】
【技術分野】
【０００１】
本発明は脈拍を診断する技術に関し、特に、ブルートゥース（登録商標）付き、脈拍を診断するブレスレット及び脈拍データを伝送する方法に関するものである。
【背景技術】
【０００２】
脈をとるということは非常に中国医学特色のある病気を診断する方法であり、独特な理論的なシステムを有し、それに、科学技術の発展や応用とともに、脈拍で診断する技術はしだいに教育、臨床医学、科学研究において大きな進歩を遂げ、ますます多くの人々に受け入れられる。
【０００３】
脈拍で診断する技術は人体の脈拍データに基づいたもので、現在の脈拍を収集する設備の体積は比較的に大きく、持ち運びに不便で、収集する設備のデータ伝送が主に有線で行われ、例えば、ＵＳＢなどのケーブルを介して、コンピュータと繋がれ、データの収集、さらにデータの解析が行われる。これらの収集方法とデータを伝送する方法は場所などによって制限される。データ回線自体に障害が起こると、有効な脈拍を収集することに影響する。
【発明の概要】
【０００４】
既存技術の上記の問題に対して、本発明はブルートゥース付き、脈拍を診断するブレスレット及び脈拍データを伝送する方法を、脈拍を診断する装置の着用がより便利になり、脈拍データの伝送がより簡単になるように提供する。脈拍データを有線で伝送することによる転送距離の制限を破った。
【０００５】
本発明の具体的な技術案は以下の通りであり、すなわち、本発明のブルートゥース付き、脈拍を診断するブレスレットは、
リアルタイムで着用者の脈拍データを収集する収集ユニットと、
上記の収集ユニットに連接され、ブルートゥース伝送により上記の脈拍データをリモート連接された知能端末に送信するブルートゥース伝送ユニットと
を含むブルートゥース付き、脈拍を診断するブレスレットであって、
上記のブルートゥース伝送ユニットは、
上記の知能端末から送信されたブルートゥース制御情報を取得する情報取得モジュールと、
上記の情報取得モジュールに連接され、上記のブルートゥース制御情報を判断して、ブルートゥース制御情報が通信許可を示すと判断する場合に、上記の知能端末に上記の脈拍データを送信する伝送モジュールとを含む。
【０００６】
好ましくは、当該のブルートゥース付き、脈拍を診断するブレスレットにおいては上記の知能端末は携帯電話またはタブレットコンピュータである。
【０００７】
好ましくは、当該のブルートゥース付き、脈拍を診断するブレスレットにおいては、上記のブルートゥース制御情報は汎用一意識別子、すなわちＵＵＩＤ（Universally Unique Identifier）が0xFF72である特徴値情報であり、
上記のブルートゥース制御情報の長さは２０バイトで固定されている。
【０００８】
好ましくは、当該のブルートゥース付き、脈拍を診断するブレスレットにおいては、上記のブルートゥース伝送ユニットが、伝送モジュールに連接されるフィードバックモジュールをさらに含み、
上記の伝送モジュールは上記のブルートゥース制御情報が通信許可を示すと判断する場合、上記のフィードバックモジュールは上記の知能端末に第１フィードバック情報をフィードバックして、
上記の伝送モジュールは上記のブルートゥース制御情報が通信禁止を示すと判断する場合、上記のフィードバックモジュールは上記の知能端末に第２フィードバック情報をフィードバックする。
【０００９】
好ましくは、当該ブルートゥース付き、脈拍を診断するブレスレットにおいては、さらに、
上記のブルートゥース付き、脈拍を診断するブレスレットが正常的に動作するため必要な電力を提供するバッテリユニットと、
上記のバッテリユニットに連接され、上記のバッテリユニットにおける余った電量を監視する電源管理ユニットと、
上記の電源管理ユニットと上記のブルートゥース伝送ユニットとにそれぞれ連接され、監視された上記の余った電量が予め設定された閾値より低い場合に、ブルートゥース伝送により上記の知能端末に現在の上記の余った電量を含む通知情報を送信して、上記の知能端末が上記の通知情報に従ってバッテリを交換するように着用者にプロンプトするフィードバックユニットと
を含む。
【００１０】
好ましくは、当該のブルートゥース付き、脈拍を診断するブレスレットにおいては、さらに、
上記のブルートゥース付き、脈拍を診断するブレスレットが正常的に動作するため必要な電力を提供するバッテリユニットと、
上記のバッテリユニットに連接され、上記のバッテリユニットにおける余った電量を監視する電源管理ユニットと、
上記の電源管理ユニットと上記のブルートゥース伝送ユニットとにそれぞれ連接され、ブルートゥース伝送によって上記の知能端末に現在の上記の余った電量を含む通知情報がフィードバックされ、上記の知能端末に上記のバッテリユニットに現在の余った電量を読み込むことができる読み込みユニットとを含む。
【００１１】
好ましくは、当該ブルートゥース付き、脈拍を診断するブレスレットにおいては、上記の通知情報は汎用一意識別子が0x2A19である特徴値情報である。
【００１２】
上記のブルートゥース付き、脈拍を診断するブレスレットを採用する脈拍データを伝送する方法においては、
上記のブルートゥース付き、脈拍を診断するブレスレットはリアルタイムで着用者の脈拍データを収集する工程Ｓ１と、
上記のブルートゥース付き、脈拍を診断するブレスレットはリモート連接された上記の知能端末から送信された上記のブルートゥース制御情報を取得する工程Ｓ２と、
上記のブルートゥース付き、脈拍を診断するブレスレットは上記のブルートゥース制御情報の意味を判断して、上記のブルートゥース制御情報が通信許可を示す場合工程Ｓ４に進む工程Ｓ３と、
上記のブルートゥース付き、脈拍を診断するブレスレットはブルートゥース伝送によって、上記の知能端末に上記の脈拍データを送信する工程Ｓ４と
を含む。
【００１３】
上記の技術方案の有益効果は以下のとおりであり、すなわち、
１、ブルートゥース付き、脈拍を診断するブレスレットを提供して、脈拍を診断する装置の着用は便利になり、脈拍データの伝送はより簡単になって、脈拍データの伝送距離も有線転送の制限を突破する。
【００１４】
２、脈拍データの伝送方法を提供して、上記のブルートゥース付き、脈拍を診断するブレスレットの動作を支持することができる。
【図面の簡単な説明】
【００１５】
【図１】図１は、本発明の一つの好ましい実施形態の、ブルートゥース付き、脈拍を診断するブレスレットの構成を示すブロック図である。
【図２】図２は、本発明の別の好ましい実施形態の、ブルートゥース付き、脈拍を診断するブレスレットの構成を示すブロック図である。
【図３】図３は、本発明の好ましい実施形態の、ブルートゥース付き、脈拍を診断するブレスレットに応用する脈拍データを伝送する方法のフローチャートである。
【発明を実施するための形態】
【００１６】
以下本発明の実施形態の図面を参照しながら、本発明の実施形態の技術案を明確に、完全的に説明する。明らかに、記載されている実施形態はただ本発明の実施形態の一部だけであり、全ての実施形態ではない。当業者が本発明の実施形態に基づいて、創造的な労働をしないで、取得した実施形態は全部本発明の保護範囲内に属するものである。
【００１７】
説明する必要があるのは、衝突しない場合、本発明の実施形態及び実施形態における特徴を組み合わせることができる。
【００１８】
以下では図面と具体的な実施形態とにより本発明を詳しく説明するが、本発明に対しての限定ではない。
【００１９】
本発明の好ましい実施形態では、提供されてるブルートゥース付き、脈拍を診断するブレスレットは図１に示すような構成を具備して、すなわち、当該ブレスレットは、
着用者の脈拍データをリアルタイムで収集する収集ユニット１と、
収集ユニット１に連接され、ブルートゥース伝送により脈拍データをリモート連接された一つの知能端末に送信するブルートゥース伝送ユニット２と
を含み、
また、図１に示すように、上記のブルートゥース伝送ユニット２はさらに、
知能端末から送信されたブルートゥース制御情報を取得する情報取得モジュール２１と、
情報取得モジュール２１に連接され、ブルートゥース制御情報を判断して、ブルートゥース制御情報が通信許可を示すと判断した場合、知能端末に脈拍データを送信する伝送モジュールと
を含む。
【００２０】
本発明の一つの具体的な実施形態では、ブルートゥース付き、脈拍を診断するブレスレットは普通のスマートブレスレットの外観を有し、その中には、リアルタイムで着用者の脈拍データを得るために、着用者の脈拍データを収集する収集ユニット１が配置される。また、当該収集ユニット１には収集ユニット１により得た脈拍データをブルートゥース伝送方式でリモート連接された知能端末（図面に示されてない）に送信するブルートゥース伝送ユニット２が連接された。
【００２１】
当該実施形態では、ブルートゥース伝送方式でデータを伝送する必要がある場合、知能端末はブルートゥース伝送ユニット２に一つのフォーマットが予め設定された（当該預設フォーマットは後で詳しく説明する）ブルートゥース制御情報を送信する。上記のブルートゥース伝送ユニット２における情報取得モジュール２１によって、当該ブルートゥース制御情報が取得され、そして、上記の伝送モジュール２２により、当該のブルートゥース制御情報が知能端末からのブルートゥース通信許可を示す通知であるかどうかが判断され、ブルートゥース通信許可を示す通知と判断された場合に、当該伝送モジュール２２によって、知能端末に上記のリアルタイムで取得された脈拍データを送信する。
【００２２】
具体的には、上記のブルートゥース伝送ユニット２はブルートゥース周辺モード（Peripheral mode）で動作し、知能端末における上位ソフトウェアはブルートゥースホストモードで動作する。脈拍を診断するブレスレットは起動された後、ブロードキャスト状態のままで、主動的に接続しない。上位ソフトウェアにより走査して主動的に接続して、接続した後、通信パラメータはブルートゥース伝送ユニット２によって設定されることができる。
【００２３】
例えば、知能端末が自身のブルートゥース機能を起動させると同時に、知能端末と上記のブルートゥース付き、脈拍を診断するブレスレットとの間に、ブルートゥース連接が設けられる。その後、知能端末では脈拍を分析するアプリケーションがオープンされ、当該アプリケーションがオープンされると同時にブルートゥース付き、脈拍を診断するブレスレットにブルートゥース通信許可を示すブルートゥース制御情報が伝送される。ブルートゥース付き、脈拍を診断するブレスレットは上記のブルートゥース制御情報を受けた後、知能端末に相応する脈拍データを送信する。
【００２４】
本発明の好ましい実施形態では、上記の知能端末は携帯電話またはタブレットコンピュータである。すなわち、上記の知能端末はブルートゥース付き、脈拍を診断するブレスレットと同じように持ち運び可能なモバイル端末であってもよい。また、ブレスレットの上位ソフトウェア、例えば脈拍を分析するアプリケーションを、上記のモバイル端末にインストールすることができ、必要に応じて当該のアプリケーションをオープンする。
【００２５】
本発明の好ましい実施形態では、上記のブルートゥース制御情報はＵＵＩＤ（Universally Unique Identifier、汎用一意識別子）が0xFF72である特徴値情報であり、また、当該ブルートゥース制御情報の長さは２０バイトで固定されている。
【００２６】
具体的に、上記のブルートゥース制御情報はＤＡＴＡ特徴値として表現されてもよく、ＤＡＴＡのＵＵＩＤは0xFF72であり、その長さは２０バイドで固定されている。当該知能端末の上位ソフトウェアはブルートゥース付き、脈拍を診断するブレスレットにデータ伝送をすることができることを通知すると、上位ソフトウェアはＤＡＴＡ特徴値のハンドル値に0x0001を書き込み、すなわち、ハンドル値に１を増加する。次に、ブルートゥース付き、脈拍を診断するブレスレットはブルートゥース伝送により、知能端末の上位ソフトウェアにデータを送信する。
【００２７】
本発明の好ましい実施形態では、上記において図１に示したように、上記のブルートゥース伝送ユニット２は、上記の伝送モジュール２２に連接されるフィードバックモジュール２３を含む。
【００２８】
伝送モジュール２２はブルートゥース制御情報が通信許可を示すと判断する場合、フィードバックモジュール２３は知能端末に第１フィードバック情報をフィードバックして、
伝送モジュール２２はブルートゥース制御情報が通信禁止を示すと判断する場合、フィードバックモジュール２３は知能端末に第２フィードバック情報をフィードバックする。
【００２９】
具体的には、本発明の好ましい実施形態では、伝送モジュール２２はブルートゥース制御情報が通信許可を示すと判断する（すなわち、上位ソフトウェアはＤＡＴＡ特徴値のハンドル値に0x0001を書き込む）場合、フィードバックモジュール２３は知能端末に第１フィードバック情報をフィードバックして、当該第１フィードバック情報は0x20を初めとする長さが２０バイトで固定されるフィードバック情報であってもよく、すなわち、0x20000000000000000000でもよく、あるいは0x32を初めとする長さが２０バイトで固定されるフィードバック情報でもよく、すなわち、0x32000000000000000000でもよい。
【００３０】
逆に、本発明の好ましい実施形態では、伝送モジュール２２はブルートゥース制御情報が通信禁止を示すと判断する場合、フィードバックモジュール２３は知能端末に第２フィードバック情報をフィードバックして、当該第２フィードバック情報は0x20を初めとする長さが２０バイトで固定されるフィードバック情報であってもよく、すなわち、0x20000000000000000000でもよく、あるいは0x33を初めとする長さが２０バイトで固定されるフィードバック情報でもよく、すなわち、0x33000000000000000000でもよい。
【００３１】
本発明の好ましい実施形態では、上記において図１に示したように、上記のブルートゥース付き、脈拍を診断するブレスレットには、また、
ブルートゥース付き、脈拍を診断するブレスレットが正常的に動作する必要な電量を提供するバッテリユニット３と、
バッテリユニット３に連接され、バッテリユニットに余った電量を監視する電源管理ユニット４と、
電源管理ユニット４とブルートゥース伝送ユニット２とにそれぞれに連接され、監視された上記の余った電量が予め設定された閾値より低い場合に、ブルートゥース伝送により上記の知能端末に現在の上記の余った電量を含む通知情報をフィードバックして、上記の知能端末は上記の通知情報に従ってバッテリを交換するように着用者にプロンプトするフィードバックユニット５と
を含む。
【００３２】
具体的に、本発明の好ましい実施形態では、ブルートゥース付き、脈拍を診断するブレスレットはＵＵＩＤ＝0x18F0のバッテリ電量を読み取るインタフェースサービスを提供する。すなわち、電源管理ユニット４に対して、バッテリ残量を読み取るためのインタフェースが開設されている。
【００３３】
続いて、当該インタフェースサービスに対して、特徴値ＵＵＩＤ＝0x2A19が設定され、当該特徴値は上記の知能端末の上位ソフトウェアによって読み取られることができる。そして、当該実施形態では、電源管理ユニット４は上記のインタフェースサービスによって監視されている上記の現在のバッテリユニットに余った電量を読み取ることができる。そして、現在の余った電量が予め設定された閾値より低い場合、上記のフィードバックユニット５によって、知能端末に上記の特徴値ＵＵＩＤ＝0x2A19の形で通信情報を送信する。
【００３４】
本発明のもう一つの好ましい実施形態では、図２に示したように、上記のブルートゥース付き、脈拍を診断するブレスレットは、また、
ブルートゥース付き、脈拍を診断するブレスレットが正常的に動作するため必要な電力を提供するバッテリユニット３と、
バッテリユニット３に連接され、バッテリユニットにおける余った電量を監視する電源管理ユニット４と、
電源管理ユニット４とブルートゥース伝送ユニット２とにそれぞれ連接され、ブルートゥース伝送によって知能端末に現在の余った電量を含む通知情報がフィードバックされた後に、知能端末にバッテリユニットに現在の余った電量を読み取らせる読み取りユニット６と
をさらに含む。
【００３５】
具体的には、本発明の好ましい実施形態では、ブルートゥース付き、脈拍を診断するブレスレットはＵＵＩＤ＝0x18F0のインタフェースサービスを提供し、当該インタフェースサービスはバッテリ電量を読み取るインタフェースを提供する。すなわち、電源管理ユニット４に対して、バッテリ残量を読み取るためのインタフェースが開設されている。
【００３６】
続いて、当該のインタフェースサービスに対して、特徴値ＵＵＩＤ＝0x2A19が設定され、当該特徴値は上記の知能端末の上位ソフトウェアによって読み取られることができる。そして、当該実施形態では、知能端末における上位ソフトウェアは直接当該特徴値を採用して、上記の読み取りユニット６によって、電源管理ユニット４により監視されて取得されたリアルタイムの余った電量を読み取り、余った電量が予め設定された閾値より低い場合、着用者にバッテリを交換するように提示する。
【００３７】
本発明の好ましい実施形態では、上記のバッテリの余った電量はパーセンテージの形で表現されてもよく、例えば、定格電圧が３ボルトであるブルートゥース付き、脈拍を診断するブレスレットに対して、余った電量をＱとして表せば、
Ｑ≧３ボルトの場合、電量は１００パーセントで示され、
Ｑ≦２ボルトの場合、電量はゼロパーセントで示され、
２Ｖ＜Ｑ＜３Ｖの場合、余った電量が相応するパーセンテージに変換され、例えば、２．８５ボルトは８５パーセントの電量に示されてもよい。
【００３８】
上記の二つの実施形態では、予め設定された電量の閾値を１０パーセントにしてもよい。すなわち、２Ｖ＜Q≦２．１Ｖの場合、知能端末は着用者にバッテリを交換するように提示する。
【００３９】
本発明の好ましい実施形態では、上記のバッテリユニット３には、ブルートゥース付き、脈拍を診断するブレスレットの総電源スイッチに相当し、採取ユニット１の各センサーモジュールとブルートゥース伝送ユニット２に給電するためのバッテリユニット３を制御するハードウェアとしてのトグルスイッチ（図に示されてない）をさらに含む。
【００４０】
本発明の好ましい実施形態では、上記のバッテリユニット３はまた充電機能を備える。着用者はＭｉｃｒｏ−ＵＳＢインタフェースにより、バッテリユニット３に充電することができる。
【００４１】
以上に記載するように、本発明はブルートゥース付き、脈拍を診断するブレスレットを提供する。当該ブレスレットはリアルタイムで着用者の脈拍データを収集して、収集された脈拍データをブルートゥース伝送によって、リモート連接された知能端末に送信することができる。知能端末とブルートゥース付き、脈拍を診断するブレスレットとの間に、カスタマイズ（custom）のブルートゥース伝送協議によって、データ伝送のプロセスを制御でき、よって、脈拍を診断する設備を持ち運ぶことは便利になった。
【００４２】
また、本発明の好ましい実施形態は、上記のブルートゥース付き、脈拍を診断するブレスレットに基づき、脈拍データを伝送する方法も提供する。当該方法は、図３に示されたように、以下の工程を含み、すなわち、
ブルートゥース付き、脈拍を診断するブレスレットは着用者の脈拍データをリアルタイムで収集する工程Ｓ１と、
ブルートゥース付き、脈拍を診断するブレスレットはリモート連接された知能端末から伝送されたブルートゥース制御情報を取得する工程Ｓ２と、
ブルートゥース付き、脈拍を診断するブレスレットはブルートゥース制御情報の意味を判断して、ブルートゥース制御情報が通信許可を示すと判断した場合に、工程Ｓ４に進む工程Ｓ３と、
ブルートゥース付き、脈拍を診断するブレスレットはブルートゥース伝送によって知能端末に脈拍データを伝送する工程Ｓ４と
を含む。
【００４３】
以上述べたのはただ本発明の好ましい実施形態だけであり、本発明の実施形態や保護範囲を制限するものではない。当業者に対して、本発明の明細書及び図に示した内容を使って、均等の置換や変更によって作り出された技術案は全て本発明の保護範囲内に含まれるものである。
【図１】
2018524120.tif 000003
【図２】
2018524120.tif 000004
【図３】
2018524120.tif 000005
【国際調査報告】
2018524120.tif 000006
2018524120.tif 000007
2018524120.tif 000008
2018524120.tif 000009